(57)【特許請求の範囲】
【請求項１】
列車の車両に流す音声情報を記憶するメモリと，列車の車両に流す音声情報の入力に用いるマイク装置と，無線の信号を発信する信号発信手段と，音声情報を出力する音声出力手段と，前記メモリに記憶されている音声情報を前記音声出力手段で発信する場合は，この音声情報のメタ情報に含まれる重要度を前記音声出力手段で発信する音声情報の重要度として決定し，前記マイク装置から入力された音声情報を前記音声出力手段で発信する場合は，前記マイク装置から入力される音声情報を利用するときの重要度を前記音声出力手段で発信する音声情報の重要度として決定し，前記信号発信手段を用いて，前記音声出力手段で発信する音声情報の重要度を示す無線の重要度信号を発信した後，前記音声出力手段を用いて音声情報を出力する制御手段を備えた音声出力装置と，
無線の信号を受信する信号受信手段と，音楽を再生する音楽再生手段と，前記音楽再生手段で再生する音楽の再生音量を設定するための電子ボリューム手段と，前記音楽再生手段で音楽を再生している間に，外部装置が発信する音声情報の重要度を示す無線の重要度信号を前記信号受信手段が受信すると，音声情報の重要度毎に再生音量を記憶したテーブルを参照し，前記信号受信手段が受信した前記重要度信号で示される重要度に対応する再生音量に前記電子ボリューム手段を設定する再生音量制御手段を備えた音楽再生装置と，から少なくとも構成されたことを特徴とする再生音量制御システム。
【請求項２】
前記音声出力装置の前記制御手段は，音声情報の出力が終了すると，前記信号発信手段を用いて，音声情報の出力終了を示す無線の音声終了信号を発信し，音楽再生装置の前記再生音量制御手段は，前記重要度信号を前記信号受信手段が受信したときの再生音量を保持し，前記音声終了信号を前記信号受信手段が受信すると，保持している再生音量に前記電子ボリューム手段を設定することを特徴とする，請求項１に記載の再生音量制御システム。
【発明の詳細な説明】
【技術分野】
【０００１】
ポータブル型の音楽再生装置の音量を、ユーザが音楽再生装置を操作することなく変更するための技術に係わる。
【背景技術】
【０００２】
ＭＰ３プレイヤやマルチメディアプレイヤなど，音楽を再生できるポータブル型の音楽再生装置が普及し，ユーザは，イヤホンを耳に差し込んで場所を問わず音楽を聞くことができるようになったが，音楽再生装置の再生音量を大きくしてしまうと，外部からの音声情報を聞き逃してしまうことがある。
【０００３】
例えば，音楽再生装置の再生音量を大きくして，列車の車内で音楽を聞いているユーザは，列車の音声情報（アナウンス）が聞き取りづらくなり，他社の運行状況など重要な音声情報を聞き逃してしまうことがあるため，音楽再生装置の再生を止める、再生音量を小さくする、イヤホンを耳からはずす等の操作することなく，音楽再生装置を利用している最中であっても，外部から重要な音声情報が流れる際，音楽再生装置の再生音量を自動的に調整して外部からの音声情報を聞けるようにすることが望まれている。
【０００４】
ポータブル型の音楽再生装置の再生音量を自動的に調整する発明としては，例えば，特許文献１では，センサが検出した騒音に基づいて、音楽再生装置の再生音量を切り換える機能を有する音楽再生装置が開示されているが，特許文献１で開示されている発明では，周囲の騒音がうるさく音楽が聞き取りにくい場合には，自動的に再生音量を上げるため、外部から音声情報が流れると，自動的に再生音量が上がってしまうと想定される。
【０００５】
また，外部信号によりポータブル型の機器の振る舞いを制御する発明も既に開示されており，例えば，特許文献２では，情報発信手段（例えば，中継局）から携帯型無線機（例えば，携帯電話）宛に情報信号を発信し、携帯型無線機が、情報発信手段より発信された情報信号を受信したときに当該情報信号が表す情報内容とそのレベルを判別し、情報発信手段が発信した情報信号のレベルに応じて，携帯型無線機は自機の運用形態（例えば，電源切入、着信音の制限等）を変更する通信システムが開示されている。
【０００６】
しかし，特許文献２で開示されている発明は、携帯型無線機の運用形態を制御する発明で、  ポータブル型の音楽再生装置の再生音量を調整する内容に関しての記述はない。
【先行技術文献】
【特許文献】
【０００７】
【特許文献１】特開２００３−２７１１９７号公報
【特許文献２】特開平１１−３３１９４８号公報
【発明の概要】
【発明が解決しようとする課題】
【０００８】
そこで，本発明の課題は，音楽再生装置の再生を止める、音量を小さくする、イヤホンを耳からはずす等の操作をすることなく，外部から流れる音声情報の重要度に応じて，再生音量を調整できる音楽再生装置，及び，音楽再生装置の外部から流す音声情報の重要度に応じて，音声再生装置の再生音量を自動的に調整できるシステムを提供することにある。
【課題を解決するための手段】
【００１２】
上述した課題を解決する第１の発明は，音楽再生装置の外部から流す音声情報の重要度に応じて，音声再生装置の再生音量を自動的に調整できるように，列車の車両に流す音声情報を記憶するメモリと，列車の車両に流す音声情報の入力に用いるマイク装置と，無線の信号を発信する信号発信手段と，音声情報を出力する音声出力手段と，前記メモリに記憶されている音声情報を前記音声出力手段で発信する場合は，この音声情報のメタ情報に含まれる重要度を前記音声出力手段で発信する音声情報の重要度として決定し，前記マイク装置から入力された音声情報を前記音声出力手段で発信する場合は，前記マイク装置から入力される音声情報を利用するときの重要度を前記音声出力手段で発信する音声情報の重要度として決定し，前記信号発信手段を用いて，前記音声出力手段で発信する音声情報の重要度を示す無線の重要度信号を発信した後，前記音声出力手段を用いて音声情報を出力する制御手段を備えた音声出力装置と，無線の信号を受信する信号受信手段と，音楽を再生する音楽再生手段と，前記音楽再生手段で再生する音楽の再生音量を設定するための電子ボリューム手段と，前記音楽再生手段で音楽を再生している間に，外部装置が発信する音声情報の重要度を示す無線の重要度信号を前記信号受信手段が受信すると，音声情報の重要度毎に再生音量を記憶したテーブルを参照し，前記信号受信手段が受信した前記重要度信号で示される重要度に対応する再生音量に前記電子ボリューム手段を設定する再生音量制御手段を備えた音楽再生装置と，から少なくとも構成されたことを特徴とする再生音量制御システムである。
【００１３】
更に，第２の発明は，音声情報の出力が終了すると，音声情報が出力される前の再生音量に自動的に戻るように，前記音声出力装置の前記制御手段は，音声情報の出力が終了すると，前記信号発信手段を用いて，音声情報の出力終了を示す無線の音声終了信号を発信し，音楽再生装置の前記再生音量制御手段は，前記重要度信号を前記信号受信手段が受信したときの再生音量を保持し，前記音声終了信号を前記信号受信手段が受信すると，保持している再生音量に前記電子ボリューム手段を設定する
ことを特徴とする，第１の発明に記載の再生音量制御システムである。
【発明の効果】
【００１４】
このように，本発明によれば，音声出力装置が，音声情報に対応した重要度号を発信してから音声情報を出力し，音声情報の出力が終了すると，音声終了信号を発信することで，音声情報が出力されている間，音楽再生装置の再生音量は，該音声情報の重要度に対応した再生音量に変更されることになり，音楽再生装置の再生を止める、音量を小さくする、イヤホンを耳からはずす等の操作をすることなく，外部から流れる音声情報の重要度に応じて，再生音量を調整できるようになる。
【図面の簡単な説明】
【００１５】
【図１】本実施形態に係る再生音量制御システムを説明する図。
【図２】音声出力装置のブロック図。
【図３】音声出力装置の動作を説明するフロー図。
【図４】音楽再生装置のブロック図。
【図５】音楽再生装置の動作を説明するフロー図。
【発明を実施するための形態】
【００１６】
ここから，本発明の実施形態について，本発明の技術分野に係わる当業者が発明の内容を理解し，発明を実施できる程度に説明する。なお、これから説明する実施形態は本発明の一実施形態にしか過ぎず、本発明は，これから説明する実施形態に限定されることなく、種々の変形や変更が可能である。
【００１７】
図１は，本実施形態に係る再生音量制御システム１を説明する図である。図１は，再生音量制御システム１を列車の車内に適用したときの図で，図１で図示した再生音量制御システム１には，外部から受信した無線信号に基づき再生音量を制御するポータブル型の音楽再生装置２と，音楽再生装置２の再生音量を制御する無線信号を発信する機能を有し，車内に音声情報を流す音声出力装置３とから少なくとも構成されている。
【００１８】
音声出力装置３の具体的な態様は，再生音量制御システム１が適用される場所によって異なり，本実施形態において，再生音量制御システム１は列車の車内に適用されているため，音声出力装置３は，列車の運行に係る様々な音声情報を記憶し，輪の回転数などから列車の走行距離を算出する走行距離演算装置４から得られる走行距離などに応じた音声情報を車内に流す車内アナウンス装置を利用して実現される。なお，音声出力装置３は，音声出力装置３に記憶している音声情報ばかりではなく，緊急時には，車掌室のマイク装置５から送信された音声情報を車内に流すことになる。
【００１９】
図１に図示したように，音声出力装置３は，列車の運行状況に係る音声情報を車内に流すためのスピーカ３３ａと，音楽再生装置２の再生音量を制御するための無線信号を車内に向けて発信するアンテナ３２ａを備え，アンテナ３２ａを用いて車内に流す音声情報の重要度を示す無線信号である重要度信号を車内に発信した後，スピーカ３３ａを用いて車内に音声情報を流し，音声情報が終了すると，アンテナ３２ａを用いて音声情報の終了を意味する無線信号である音声終了信号を車内に発信する。
【００２０】
音声出力装置３が車内に流す音声情報に重要度を設けるのは，車内に流す音声情報の種別毎に重要度が異なるからである。例えば，他社の運行状況など緊急時に流す音声情報は，音声情報の内容が毎回異なるため聞き逃し易く，かつ，路線変更をユーザに強いることもあるため，緊急時に流す音声情報の重要度を高くし，また，次の停車駅案内など毎回流す音声情報は，ユーザがその内容（例えば，駅名）を把握していることが多いため，毎回流す音声情報の重要度は低くする。
【００２１】
ユーザが所持する音楽再生装置２は，車内に流す音声情報の重要度を示す重要度信号を音声出力装置３から受信すると，重要度信号を受信したときの再生音量を保持した後，受信した重要度信号で示される重要度に対応した再生音量に音楽再生装置２の再生音量を設定する動作を行い，音声出力装置３から音声終了信号を受信すると，重要度信号を受信した時に保持した再生音量に音楽再生装置２を設定する動作を行う。
【００２２】
このように，音声出力装置３から音声情報が流れている間，音楽再生装置２の再生音量は，音声出力装置３から受信した重要度信号で示される重要度に対応した再生音量になるため，重要度に応じて音楽再生装置２の再生音量を小さくすれば，ユーザは，重要度が高くなるほど音声情報を聞き逃してしまうことをなくすことができる。
【００２３】
例えば，緊急時に流す音声情報など重要度の高い音声情報を流すときの音楽再生装置２の再生音量を消音にすれば，ユーザは，緊急時に流す音声情報を聞き逃すことが無くなる。また，次の停車駅案内など重要度の低い音声情報を流すときの音楽再生装置２の再生音量を，ユーザが音声情報の一部を確認できる程度の再生音量に小さくすれば，ユーザは音声情報の一部からその内容を推測できるようになる。
【００２４】
まず，再生音量制御システム１に含まれる音声発信装置３について説明する。図２は，音声出力装置３のブロック図である。
【００２５】
図２（ａ）は，音声出力装置３に実装された電気部品を示し，音声出力装置３には，ＣＰＵ，ＲＡＭ及びＲＯＭなどが実装され，音声出力装置３を制御する制御回路３０と，アンプなどが実装され，スピーカ３３ａを利用して音声情報を出力する音声情報出力回路３３と，アンプなどが実装され，アンテナ３２ａを利用して無線信号を発信する信号発信回路３２と，車内に流す音声情報が記憶されるメモリ３１が実装され，本実施形態では，音声出力装置３には，車輪の回転数などから列車の走行距離を算出する走行距離演算装置４と車掌室のマイク装置５が接続されている。
【００２６】
音声出力装置３の信号発信回路３２は，無線により信号を発信できる技術を利用でき，例えば，ポータブル型の機器で汎用的に利用されているＷｉ−Ｆｉ（ワイファイ、wireless fidelity）を用いることができる。
【００２７】
また，本実施形態では，音声出力装置３のメモリ３１に記憶されている音声情報のメタ情報には，音声情報を流すときの距離情報と，音声情報の重要度が含まれている。音声出力装置３のメモリ３１に記憶される音声情報のメタ情報に含まれる距離情報は，音声出力装置３が発信する音声情報を決定する際に利用され，また，該メタ情報に含まれる重要度は，音声出力装置３が発信する重要度信号を決定する際に利用される。
【００２８】
図２（ｂ）は，音声出力装置３に備えられる機能を説明する図である。図２（ｂ）で図示したように，音声出力装置３には，図２（ａ）で図示した電気部品を用いて実現される機能として，無線の信号を発信する信号発信手段３０１と，音声情報を出力する音声出力手段３０２と，信号発信手段３０１を用いて，音声出力手段３０２で発信する音声情報の重要度を示す無線の重要度信号を発信した後，音声出力手段３０２を用いて音声情報を発信する処理を少なくとも実行する制御手段３００が備えられる。
【００２９】
音声出力装置３に備えられる信号発信手段３０１は，アンテナ３２ａを利用して無線信号を発信する信号発信回路３２で実現され，音声出力装置に備えられる音声出力手段３０２は，スピーカ３３ａを利用して音声情報を出力する音声情報出力回路３３で実現される。
【００３０】
また，音声出力装置３の制御回路３０には，音声出力装置３の制御回路３０を制御手段３００として機能させるためのコンピュータプログラムが実装され，このコンピュータプログラムが制御回路３０で動作することで，音声出力装置３の制御回路３０は制御手段３００として機能する。
【００３１】
図３は，音声出力装置３の動作を説明するフロー図である。本実施形態において，走行距離演算装置４から入力された走行距離が，音声出力装置３のメモリ３１に記憶されている音声情報のメタ情報に含まれる距離情報のいずれかに達したとき，又は，マイク装置４のスイッチがＯＮになったことを示すＯＮ信号を車掌室のマイク装置４から受信したときに，音声出力装置３の制御手段３００は音声情報を車内に流す動作を開始する（Ｓ１）。
【００３２】
音声出力装置３の制御手段３００は，音声情報を車内に流す動作を開始すると，まず，音声出力装置３は，車内に流す音声情報とこの音声情報の重要度を決定する処理を行う（Ｓ２）。
【００３３】
音声出力装置３の制御手段３００には，車内に流す音声情報の重要度が予め設定され，本実施形態では，車内に流すアナウンスの重要度はレベル１からレベル５までの５段階で，表１に示すように，車内に流す音声情報の重要度が予め設定されている。
【表１】
0005724367.tif 000002
【００３４】
本実施形態において，走行距離演算装置４から入力された走行距離が，音声出力装置３のメモリ３１に記憶されている音声情報のメタ情報に含まれる距離情報のいずれかに達した場合，音声出力装置３の制御手段３００は，走行距離演算装置４から入力された走行距離が達した距離情報をメタ情報に含む音声情報を車内に流す音声情報として特定し，該音声情報のメタ情報に含まれる重要度（表１では，レベル１からレベル４のいずれか）を車内に流す音声情報の重要度として決定する。
【００３５】
また，マイク装置５のスイッチがＯＮになったことを示すＯＮ信号を車掌室のマイク装置５から受信した場合，音声出力装置３の制御手段３００は，マイク装置５から入力される音声情報を車内に流す音声情報として決定し，マイク装置５から入力される音声情報を利用するときの重要度（表１では，レベル５）を車内に流す音声情報の重要度として決定する。
【００３６】
音声出力装置３の制御手段３００は，車内に流す音声情報とその重要度を特定すると，特定した重要度を示す重要度信号の発信を信号発信手段３０１に指示し，信号発信手段３０１は，制御手段３００から指示された重要度信号を車内に向けて発信する（Ｓ３）。表１に従えば，「次の停車駅案内」を音声情報で車内に流すときの重要度のレベル２であるため，「次の停車駅案内」を音声情報で車内に流すとき，重要度がレベル２を示す重要度信号が信号発信手段３０１から車内に発信される。
【００３７】
音声出力装置３の制御手段３００は，重要度信号を車内に向けて発信すると，特定した音声情報を音声出力手段３０２に入力し，特定した音声情報を車内に流す処理を実行する（Ｓ４）。音声出力装置３のメモリ３１に記憶されている音声情報を車内に流す場合，音声出力装置３の制御手段３００は，走行距離演算装置４から入力された走行距離が達した距離情報をメタ情報に含む音声情報を読み出して音声出力手段３０２に入力することになる。また，マイク装置５から入力された音声情報を車内に流す場合，マイク装置５から入力された音声情報を音声出力手段３０２に入力することになる。
【００３８】
音声出力装置３の制御手段３００は，音声情報を車内に流し終えると，音声情報の終了を音楽再生装置２に伝達するための音声終了信号の発信を信号発信手段３０１に指示し，信号発信手段３０１は音声終了信号を車内に向けて発信して（Ｓ５），この手順を終了する。
【００３９】
次に，再生音量制御システム１に含まれる音楽再生装置２について説明する。図４は，音楽再生装置２のブロック図である。図４（ａ）は音楽再生装置２に備えられている電気部品を示し，音楽再生装置２には，ＣＰＵ，ＲＡＭ及びＲＯＭなどが実装され，音楽の再生や再生音量の自動設定など音楽再生装置２を制御する制御回路２０と，アンテナ２１ａを利用して無線信号を受信する信号受信回路２１と，音楽のデジタルデータが記憶されるフラッシュメモリ２２と，音楽のデジタルデータをアナログ信号に変換するＤＡＣ（Digital Analogue Converter）２３と，半導体を用いたボリュームである電子ボリューム回路２４と，電子ボリューム回路２４からの出力を増幅するアンプ２５と，タッチパネルや十字キーなどの操作回路２６と，再生している音楽に係るテキストや映像を表示するディスプレイ２７などが備えられ，音楽再生装置２のアンプ２５にはイヤホン２８が接続されている。
【００４０】
アンテナ２１ａを利用して音声出力装置３から発信される信号を受信する信号受信回路２１の具体的な内容は，音声出力装置３の信号発信回路３２に対応し，例えば，音声出力装置３の信号発信回路３２がＷｉ−Ｆｉに対応した無線回路ならば，音楽再生装置２の信号受信回路２１もＷｉ−Ｆｉに対応した無線回路になる。なお，音楽再生装置２のその他の電気部品については，汎用的な内容であるため特に詳細は説明しない。
【００４１】
図４（ｂ）は，音楽再生装置２に備えられる機能を説明する図である。図４（ｂ）で図示したように，音楽再生装置２には，図４（ａ）で図示した電気部品を用いて実現される機能として，無線の信号を受信する信号受信手段２０１と，音楽を再生する音楽再生手段２０２と，音楽再生手段２０２で再生する音楽の再生音量を変更する電子ボリューム手段２０３と，音楽再生手段２０２が音楽を再生している間に，外部から発信される音声情報の重要度を示す無線の重要度信号を信号受信手段２０１が受信すると，音声情報の重要度に設定されたレベル毎に再生音量を記憶したテーブルを参照し，信号受信手段２０１が受信した重要度信号で示される重要度に対応する再生音量に電子ボリューム手段２０３を設定する処理を少なくとも実行する再生音量制御手段２００が備えられる。
【００４２】
音楽再生装置２に備えられる信号受信手段２０１は，アンテナ２１ａを利用して無線信号を受信する信号受信回路２１で実現され，電子ボリューム手段２０３は，半導体を用いたボリュームである電子ボリューム回路２４で実現される。
【００４３】
また，音楽再生装置２の制御回路２０には，フラッシュメモリ２２に記憶されている音楽をＤＡＣ２３に入力して再生するコンピュータプログラムが実装され，このコンピュータプログラムが制御回路２０で動作することで，音楽再生装置２の制御回路は音楽再生手段２０２として機能する。
【００４４】
更に，音楽再生装置２の制御回路２０又はフラッシュメモリ２２には，再生音量制御手段２００として制御回路を機能させるためのコンピュータプログラムが実装され，このコンピュータプログラムが実行されることで，制御回路２０は再生音量制御手段２００として機能する。
【００４５】
図５は，音楽再生装置２の動作を説明するフロー図である。音楽再生装置２の信号受信手段２０１が，音声出力装置３から無線信号を受信すると，音楽再生装置２の再生音量制御手段２００は，音声出力装置３から受信した無線信号に対応する処理を開始する（Ｓ１０）。
【００４６】
音声出力装置３から受信した無線信号が重要度信号の場合，音楽再生装置２の再生音量制御手段２００は，音楽再生手段２０２が音楽を再生しているか確認し（Ｓ１１），音楽再生手段２０２が音楽を再生している場合，この時点の再生音量を保持した後（Ｓ１２），音声出力装置３から受信した重要度信号で示される重要度に対応する再生音量になるように電子ボリューム手段（Ｓ１３）を設定する処理を行う。
【００４７】
音声出力装置３から受信した重要度信号で示される重要度に対応する値に再生音量にするために，音楽再生装置２の再生音量制御手段２００には，音声情報の重要度に設けられたレベル毎に再生音量を関連付けたテーブルが予め記憶され，音楽再生装置２の再生音量制御手段２００は，該テーブルを参照し，音声出力装置３から受信した重要度信号で示される重要度のレベルに対応する再生音量になるように電子ボリューム手段２０３を設定する処理を行う。
【００４８】
表２は，音楽再生装置２の再生音量制御手段２００に設定されたテーブルの一例で，表２のテーブルは表１の内容に対応付けている。
【表２】
0005724367.tif 000003
【００４９】
表２で図示したテーブルでは，音声情報の重要度がレベル１，レベル２及びレベル３の場合，すなわち，車内に流れるアナウンスが「優先席の案内」，「次の停車駅案内」及び「終点案内」の場合，再生音量を３０ｄｂにする設定になっている。また，音声情報の重要度がレベル４の場合，すなわち，車内に流れるアナウンスが「信号等による一時的な停止」の場合，電子ボリュームの値を１５ｄｂにする設定になっている。更に，音声情報の重要度がレベル５の場合，すなわち，車掌室のマイク装置から入力される音声を車内に流す場合，電子ボリュームの値を０ｄｂ（消音）にする設定になっている。
【００５０】
なお，重要度信号で示されるレベルに対応する再生音量が０ｄｂ（消音）の場合，音楽が聞こえることなく再生されてしまうため，再生音量が０ｄｂ（消音）にする代わりに音楽再生手段２０２を停止させるようにしてもよい。なお，音楽再生手段２０２を停止させた場合は，操作回路２６からの指示ではなく，再生音量制御手段２００が音楽再生手段２０２を停止させたことを示す情報を一時的に保持しておく。
【００５１】
また，音楽再生装置２の再生音量制御手段２００は，音声出力装置３から受信した無線信号が音声終了信号の場合，音楽再生装置２の再生音量制御手段２００が保持している再生音量になるように電子ボリューム手段２０３を設定する処理を行う（Ｓ１４）。なお，再生音量制御手段２００が音楽再生手段２０２を停止させた場合は，電子ボリューム手段２０３に再生音量を設定する処理ではなく，音楽再生手段２０２を再生開始する処理が実行される。
【００５２】
上述したように，音声出力装置３は，車内に流す音声情報に対応した重要度信号を車内に発信した後，音声情報を車内に流し，音声情報を流し終えると，音声終了信号を車内に発信するため，図５を用いて説明したフローが実施されることで，車内に音声情報が流されている間，音楽再生装置２の再生音量は，該音声情報の重要度に対応した再生音量に変更されることになる。
【符号の説明】
【００５３】
１    再生音量制御システム
２    音楽再生装置
２００  再生音量制御手段
２０１  信号受信手段
２０２  音楽再生手段
２０３  電子ボリューム手段
３    音声出力装置
３００  制御手段
３０１  信号発信手段
３０２  音声出力手段
４    走行距離演算装置
５    マイク装置
【図１】
0005724367.tif 000004
【図２】
0005724367.tif 000005
【図３】
0005724367.tif 000006
【図４】
0005724367.tif 000007
【図５】
0005724367.tif 000008